(57)【要約】      （修正有）【課題】ユーザに適したデジタル情報を適時に表示することができるデジタル情報表示システムを提供する。【解決手段】ユーザが往来する往来地にデジタル情報を表示するデジタル情報表示手段が配置されたデジタル情報表示システムにおいて、往来地の周辺の環境を周辺情報として取得する周辺情報取得手段と、周辺情報取得手段で取得した周辺情報にユーザに関する情報が含まれている場合にユーザに関する情報に基づいて人物情報を検出する人物情報検出手段と、を備え、人物情報検出手段で検出した人物情報に基づいてデジタル情報表示手段に表示するデジタル情報を決定する。【選択図】図１
2019152734.tif 000002
【特許請求の範囲】
【請求項１】
ユーザが往来する往来地にデジタル情報を表示するデジタル情報表示手段が配置されたデジタル情報表示システムにおいて、
前記往来地の周辺の環境を周辺情報として取得する周辺情報取得手段と、
該周辺情報取得手段で取得した前記周辺情報に前記ユーザの属性に関する属性情報が含まれている場合に該属性情報に基づいて人物情報を検出する人物情報検出手段と、を備え、
前記人物情報検出手段で検出した前記人物情報に基づいて前記デジタル情報表示手段に表示する前記デジタル情報を決定することを特徴とするデジタル情報表示システム。
【請求項２】
前記周辺情報取得手段は、
画像センサによって構成されることを特徴とする請求項１に記載のデジタル情報表示システム。
【請求項３】
前記人物情報検出手段は、
前記周辺情報に含まれる前記属性情報と人物の身体的特徴に関して予め登録された身体的属性情報及び前記人物の社会的特徴に関して予め登録された社会的属性情報とを対比して前記人物情報を検出することを特徴とする請求項１または２に記載のデジタル情報表示システム。
【請求項４】
前記身体的属性情報は、
前記人物を顔で検出する顔情報、前記人物を視線の向きで検出する視線情報、前記人物の性別を検出する性別情報、前記人物の年齢を検出する年齢別情報及び前記人物の人種を検出する人種別情報を有し、
前記社会的属性情報は、
前記人物の職業を検出する職業別情報を有する、
ことを特徴とする請求項３に記載のデジタル情報表示システム。
【請求項５】
前記デジタル情報表示手段に表示する前記デジタル情報が予め格納される表示情報記憶部を備え、
前記デジタル情報表示手段は、
前記人物情報検出手段が検出した前記人物情報と適合する、前記表示情報記憶部に格納された前記デジタル情報を表示することを特徴とする請求項１〜４のいずれか1項に記載のデジタル情報表示システム。
【発明の詳細な説明】
【技術分野】
【０００１】
本発明は、デジタル情報表示システム、特に、ユーザが往来する往来地にデジタル情報を表示するデジタル情報表示手段が配置されたデジタル情報表示システムに関する。
【背景技術】
【０００２】
デジタル技術の進展に伴って、人の往来がある場所で種々のデジタル情報を表示する電子看板であるデジタルサイネージが普及している。デジタルサイネージは、街頭に設置されて情報を表示したり、自動販売機にディスプレイとして内蔵されて情報を表示したり、鉄道車両内のディスプレイとして設置されて情報を表示したり等、各種のものが実用化されている。
【０００３】
デジタルサイネージは、表示するデジタル情報を変更することによって、表示するデジタル情報を自在に切り替えることが可能であるところ、デジタルサイネージに表示されるデジタル情報を視聴するユーザに適した情報やユーザが要望する情報を適時に発信することが期待されている。
【０００４】
このような対策として、特許文献１には、予め登録された利用者管理ＩＤによって、デジタルサイネージに表示されるデジタル情報を視聴するユーザを判断することが可能となる技術が開示されている。
【０００５】
特許文献２には、予め登録された携帯端末の端末識別情報によって、デジタルサイネージに表示されるデジタル情報を視聴するユーザを判断することが可能となる技術が開示されている。
【０００６】
しかし、これら特許文献１及び特許文献２に開示される技術によれば、予め登録された利用者管理ＩＤや端末識別情報を用いるユーザに対しては、これらのユーザに適した情報や要望する情報を表示することができる一方で、予め登録されていないユーザには、そのユーザに適した情報を表示することができないことが想定される。
【０００７】
一方、特許文献３には、デジタルサイネージが配置された周辺環境の情報を取得する街頭情報収集部を備え、この街頭情報収集部が取得する周辺環境の情報に基づいて、デジタルサイネージに表示させるデジタル情報を決定する技術が開示されている。
【０００８】
この特許文献３の技術に開示される街頭情報収集部は、例えば人感センサや雨量センサのように、物理的な環境に関する情報を取得することができる装置によって構成される。
【先行技術文献】
【特許文献】
【０００９】
【特許文献１】特開２０１０−０７９７６８公報
【特許文献１】特開２０１３−１６１３６０公報
【特許文献１】特開２０１７−０６０１６４公報
【発明の概要】
【発明が解決しようとする課題】
【００１０】
特許文献３の技術によれば、デジタルサイネージが配置された周辺環境の情報に基づいてデジタルサイネージに表示させるデジタル情報を決定することができるものの、街頭情報収集部は、物理的な環境に関する情報を取得するものであって、デジタルサイネージに表示されるデジタル情報を視聴するユーザの属性に関する情報を取得するものではない。
【００１１】
したがって、特許文献１や特許文献２に開示された技術と同様に、視聴者に適した情報や視聴者が要望する情報を適時に表示することができないことが懸念される。
【００１２】
本発明は、上記事情に鑑みてなされたものであり、デジタルサイネージに表示されるデジタル情報を視聴するユーザに適したデジタル情報を適時に表示することができるデジタル情報表示システムを提供することを課題とするものである。
【課題を解決するための手段】
【００１３】
上記課題を達成するための、本発明に係るデジタル情報表示システムは、ユーザが往来する往来地にデジタル情報を表示するデジタル情報表示手段が配置されたデジタル情報表示システムにおいて、往来地の周辺の環境を周辺情報として取得する周辺情報取得手段と、周辺情報取得手段で取得した周辺情報にユーザの属性に関する属性情報が含まれている場合に属性情報に基づいて人物情報を検出する人物情報検出手段と、を備え、人物情報検出手段で検出した人物情報に基づいてデジタル情報表示手段に表示するデジタル情報を決定することを特徴としており、周辺情報取得手段は、画像センサによって構成されることを特徴としている。
【００１４】
このデジタル情報表示システムによれば、周辺情報取得手段が取得した周辺情報にユーザの属性に関する属性情報が含まれている場合に、人物情報検出手段がこのユーザに関する情報に基づいて人物情報を検出することから、デジタル情報を視聴する可能性のあるユーザの属性を検出することができる。
【００１５】
さらに、デジタル情報表示手段は、検出した人物情報と適合するデジタル情報をそのディスプレイに表示するように決定することから、デジタル情報表示手段を視聴するユーザの特徴を把握したうえで、そのユーザに適したデジタル情報を適時に表示することができる。
【００１６】
しかも、周辺情報取得手段は、汎用性のある画像センサによって簡易に構成することができる。
【００１７】
さらに、デジタル情報表示システムの人物情報検出手段は、周辺情報に含まれる属性情報と人物の身体的特徴に関して予め登録された身体的属性情報及び人物の社会的特徴に関して予め登録された社会的属性情報とを対比して人物情報を検出することを特徴としている。
【００１８】
しかも、身体的属性情報は、人物を顔で検出する顔情報、人物を視線の向きで検出する視線情報、人物の性別を検出する性別情報、人物の年齢を検出する年齢別情報及び人物の人種を検出する人種別情報を有し、社会的属性情報は、人物の職業を検出する職業別情報を有する、ことを特徴としている。
【００１９】
このように、人物情報検出手段は、周辺情報に含まれる属性情報と、予め登録された人物の顔や視線や性別あるいは年齢、更には人種といった身体的属性情報とを対比し、かつ予め登録された人物の職業といった社会的属性情報とを対比することによって、精密な人物情報を検出することができる。
【００２０】
さらに、デジタル情報表示システムは、デジタル情報表示手段に表示するデジタル情報が予め格納される表示情報記憶部を備え、デジタル情報表示手段は、人物情報検出手段が検出した人物情報と適合する、表示情報記憶部に格納されたデジタル情報を表示することを特徴としている。
【００２１】
このように、デジタル情報表示システムは、デジタル情報表示手段に表示するデジタル情報が格納される表示情報記憶部を備えることから、多様な人物情報と適合するデジタル情報を複数、予め格納しておくことができる。
【発明の効果】
【００２２】
この発明によれば、デジタル情報表示手段を視聴するユーザの特徴を把握したうえで、そのユーザに適したデジタル情報を適時に表示することができる。
【図面の簡単な説明】
【００２３】
【図１】本発明の実施の形態に係るデジタル情報表示システムの構成の概略を説明するブロック図である。
【図２】同じく、本実施の形態に係るデジタル情報表示システムの周辺情報取得手段で取得される周辺情報の一例を示す図である。
【図３】同じく、本実施の形態に係るデジタル情報表示システムの人物情報検出手段で人物情報を検出する処理の概略を説明する図である。
【図４】同じく、本実施の形態に係るデジタル情報表示システムの周辺情報に含まれるユーザの属性に関する属性情報の一例を示す図である。
【図５】同じく、本実施の形態に係るデジタル情報表示システムの周辺情報に含まれる属性情報の一例を示す図である。
【図６】同じく、本実施の形態に係るデジタル情報表示システムの周辺情報に含まれる属性情報の一例を示す図である。
【図７】同じく、本実施の形態に係るデジタル情報表示システムの人物情報検出手段で検出された人物情報の概略を説明する図である。
【図８】同じく、本実施の形態に係るデジタル情報表示システムの運用の概略を説明する図である。
【発明を実施するための形態】
【００２４】
次に、本発明の実施の形態について、図１〜図８に基づいて説明する。
【００２５】
図１は、本実施の形態に係るデジタル情報表示システムの構成の概略を説明するブロック図である。図示のように、デジタル情報表示システム１は、制御部１０、制御部１０に制御される周辺情報取得手段１０１、人物情報検出手段１０２及びデジタル情報表示手段１０３を備える。
【００２６】
このデジタル情報表示手段１０３は、本実施の形態では、デジタル情報を視聴するユーザが往来する例えば街頭や鉄道車両内といった往来地に配置される電子看板であるデジタルサイネージであって、周辺情報取得手段１０１は、往来地に配置されたデジタル情報表示手段１０３の近傍、例えばデジタル情報表示手段１０３の上部に配置される。
【００２７】
さらに、デジタル情報表示システム１は、周辺情報取得手段１０１とアクセス可能に配備される周辺情報記憶部２０１、人物情報検出手段１０２とアクセス可能に配備される人物情報記憶部２０２、及びデジタル情報表示手段１０３とアクセス可能に配備される表示情報記憶部２０３を備える。
【００２８】
周辺情報取得手段１０１は、本実施の形態では、画像センサによって構成される。この周辺情報取得手段１０１は、例えば図２で示すように、往来地に配置されたデジタル情報表示手段１０３の周辺環境を撮像して、周辺情報として取得する。
【００２９】
周辺情報取得手段１０１として採用される画像センサは、撮像した周辺情報としての画像情報や動画情報を撮像した状態のまま取得する、あるいは爾後の処理が容易となるように例えば白黒に変換して取得することが可能となるものが採用される。
【００３０】
取得した周辺情報は、本実施の形態では、周辺情報取得手段１０１とアクセス可能に配備される周辺情報記憶部２０１に記憶されるが、周辺情報記憶部２０１に記憶されることなく次述する人物情報検出手段１０２に送出するように構成してもよい。
【００３１】
人物情報検出手段１０２は、本実施の形態では、周辺情報記憶部２０１に記憶された周辺情報、あるいは周辺情報取得手段１０１から送出された周辺情報にユーザの属性に関する属性情報が含まれている場合、例えば図２で示したように、ユーザである人物が周辺情報としての画像情報に含まれている場合に、このユーザの属性に関する属性情報に基づいて人物情報を検出する。
【００３２】
図３は、人物情報検出手段１０２で人物情報を検出する処理の概略を説明する図である。図示のように、人物情報検出手段１０２では、属性情報が、人物の身体的特徴に関して予め登録された身体的属性情報及び人物の社会的特徴に関して予め登録された社会的属性情報と対比されて、人物情報が検出される。
【００３３】
身体的属性情報は、本実施の形態では、人物を顔で検出する顔情報、人物を視線の向きで検出する視線情報、人物の性別を検出する性別情報、人物の年齢を検出する年齢別情報、及び人物の人種を検出する人種別情報を有する。
【００３４】
顔情報は、人物の顔がベクトル表現である特徴量に変換されることによって構成され、人物情報検出手段１０２では、顔情報の特徴量と近似する数値を有する特徴量を、例えば図４で示す周辺情報から検出した場合には、周辺情報に属性情報が含まれていると判別する。
【００３５】
顔情報を用いて周辺情報に属性情報が含まれていると判別する方法としては、本実施の形態では、図５で示すように、周辺情報をユークリッド座標系で表示したＸ軸及びＹ軸の位置座標（Ｘ１、Ｙ１）に、顔情報の特徴量と近似する数値を有する特徴量を検出した際に、属性情報が含まれていると判別する方法が採用される。
【００３６】
視線情報は、人物の視線がベクトル表現である特徴量に変換されることによって構成され、人物情報検出手段１０２では、視線情報の特徴量と近似する数値を有する特徴量を、例えば図６で示す周辺情報から検出した場合には、周辺情報に属性情報が含まれていると判別する。
【００３７】
視線情報を用いて周辺情報に属性情報が含まれていると判別する方法としては、本実施の形態では、周辺情報をユークリッド座標系で表示した視線Ｘ軸及び視線Ｙ軸の位置座標に、視線情報の特徴量と近似する数値を有する特徴量を検出した際に、属性情報が含まれていると判別する方法が採用される。
【００３８】
さらに、性別情報は、男性の顔あるいは複数の女性の顔がベクトル表現である特徴量に変換されることによって構成され、周辺情報に属性情報が含まれていると判別した場合において、属性情報に関するユーザの性別を判別する。
【００３９】
年齢別情報は、例えば２０代〜７０代に亘る年齢層の人物の顔がベクトル表現である特徴量に変換されることによって構成され、周辺情報に属性情報が含まれていると判別した場合において、属性情報に関するユーザのおよその年齢を判別する。
【００４０】
人種別情報は、例えば複数の国の人物の顔がベクトル表現である特徴量に変換されることによって構成され、周辺情報に属性情報が含まれていると判別した場合において、属性情報に関するユーザの人種を判別する。
【００４１】
一方、社会的属性情報は、本実施の形態では、人物の職業を検出する職業別情報を有する。この職業別情報は、例えば複数の職業について、その職業に従事する者のみが着用する制服を着用した人物の顔がベクトル表現である特徴量に変換されることによって構成され、周辺情報にユーザに関する情報が含まれていると判別した場合において、属性情報に関するユーザの職業を判別する。
【００４２】
これらの特徴量は、本実施の形態では、Ｈａａｒ−ｌｉｋｅ特徴量、ＳＩＦＴ特徴量、ＨＯＧ特徴量、ＫＡＺＥ特徴量及びＡＫＡＺＥ特徴量等、各種の特徴量が採用される。
【００４３】
なお、身体的属性情報及び社会的属性情報のいずれにも属しないが、周辺情報取得手段１０１とユーザとの間の距離を距離情報として検知して、人物情報の検出に用いたり、ユーザの人数を人物情報として検知して、人物情報の検出に用いたりすることも可能である。
【００４４】
図７は、人物情報の概略を説明する図である。図示のように、人物情報検出手段１０２で検出した人物情報は、本実施の形態では、ユーザを特定する人物識別子、ユーザを検出した時刻、ユーザを検出したＸ軸及びＹ軸の位置座標、ユーザを検出した視線Ｘ軸及び視線Ｙ軸の位置座標、周辺情報取得手段１０１とユーザとの間の距離、ユーザの年齢、性別、職業及び人種といった各種のデータによって構成される。
【００４５】
取得した人物情報は、本実施の形態では、人物情報検出手段１０２とアクセス可能に配備される人物情報記憶部２０２に記憶される。
【００４６】
デジタル情報表示手段１０３は、本実施の形態では、ディスプレイ及びコントローラを備え、表示情報記憶部２０３に格納されたデジタル情報がコントローラを介してディスプレイに表示される。
【００４７】
表示情報記憶部２０３には、ニュース映像、広告画像や広告映像といった各種のデジタル情報が格納される。これらのデジタル情報には、本実施の形態では識別子が付され、このデジタル情報の識別子と人物情報検出手段１０２で検出した人物情報とが関連づけられている。
【００４８】
このように、デジタル情報の識別子と人物情報とが関連づけられることによって、ある人物情報が人物情報検出手段１０２で検出された場合に、その人物情報と関連づけられたデジタル情報がコントローラによってディスプレイに表示される。
【００４９】
具体的には、人物情報検出手段１０２が直近で検出した人物情報が、人物情報検出手段１０２が以前検出して人物情報記憶部２０２に記憶された人物情報と近似する場合には、デジタル情報表示手段１０３のコントローラは、その記憶された人物情報と関連づけられたデジタル情報が直近の人物情報と適合すると判断して、デジタル情報表示手段１０３のディスプレイに表示すると決定したうえで、ディスプレイに表示する。
【００５０】
例えば、人物情報検出手段１０２が以前検出して人物情報記憶部２０２に記憶された人物情報として、２０代の男性であるという年齢別情報及び性別情報が含まれている場合において、人物情報検出手段１０２が直近で検出した人物情報がこれらの情報に近似する場合には、これら年齢別情報及び性別情報と関連づけられたデジタル情報をデジタル情報表示手段１０３に表示する。
【００５１】
更に例えば、人物情報検出手段１０２が以前検出して人物情報記憶部２０２に記憶された人物情報として、デジタル情報表示手段１０３に任意に定められた一定時間以上（例えば１０秒以上）に亘って視線を向けた女性であるという視線情報及び性別情報が含まれている場合において、人物情報検出手段１０２が直近で検出した人物情報がこれらの情報に近似する場合には、これら視線情報及び性別情報と関連づけられたデジタル情報をデジタル情報表示手段１０３に表示する。
【００５２】
次に、本実施の形態に係るデジタル情報表示システム１の運用について説明する。
【００５３】
図８は、本実施の形態に係るデジタル情報表示システム１の運用の概略を説明するフローチャートである。
【００５４】
図示のように、ステップＳ１００１において、画像センサで構成されてデジタル情報表示手段１０３の上部に配置された周辺情報取得手段１０１が、デジタル情報表示手段１０３の周辺環境を撮像して、周辺情報として取得する。
【００５５】
取得した周辺情報は、本実施の形態では、ステップＳ１００２において、周辺情報記憶部２０１に記憶される。
【００５６】
次いで、ステップＳ１００３において、人物情報検出手段１０２が、周辺情報記憶部２０１に記憶された周辺情報、あるいは周辺情報記憶部２０１に記憶されずに人物情報検出手段１０２に送出された周辺情報に属性情報が含まれている場合は、この属性情報に基づいて人物情報を検出する。
【００５７】
この人物情報は、本実施の形態では、属性情報と、予め登録された身体的属性情報及び社会的属性情報とが対比されることによって検出される。
【００５８】
検出した人物情報は、ステップＳ１００４において、人物情報記憶部２０２に記憶される。
【００５９】
この状態において、人物情報検出手段１０２が直近で検出した人物情報が、人物情報検出手段１０２が以前検出して人物情報記憶部２０２に記憶された人物情報と近似する場合には、ステップＳ１００５において、デジタル情報表示手段１０３のコントローラは、その記憶された人物情報と関連づけられたデジタル情報が直近の人物情報と適合すると判断して、デジタル情報表示手段１０３のディスプレイに表示すると決定する。
【００６０】
続いて、ステップＳ１００６において、デジタル情報表示手段１０３のコントローラがディスプレイに表示すると決定したデジタル情報を、そのデジタル情報表示手段１０３のディスプレイに表示する。
【００６１】
このように、本実施の形態のデジタル情報表示システム１は、周辺情報取得手段１０１が取得した周辺情報に属性情報が含まれている場合に、人物情報検出手段１０２がこのユーザに関する情報に基づいて人物情報を検出することから、デジタル情報を視聴する可能性のあるユーザの属性を検出することができる。
【００６２】
さらに、デジタル情報表示手段１０３は、検出した人物情報と適合するデジタル情報をそのディスプレイに表示するように決定することから、デジタル情報表示手段１０３を視聴するユーザの特徴を把握したうえで、そのユーザに適したデジタル情報を適時に表示することができる。
【００６３】
このとき、本実施の形態では、周辺情報取得手段１０１は、汎用性のある画像センサによって簡易に構成することができる。
【００６４】
しかも、人物情報検出手段１０２は、周辺情報に含まれる属性情報と、予め登録された人物の顔や視線や性別あるいは年齢、更には人種といった身体的属性情報とを対比し、かつ予め登録された人物の職業といった社会的属性情報とを対比することによって、精密な人物情報を検出することができる。
【００６５】
更に、本実施の形態では、デジタル情報表示手段１０３に表示するデジタル情報が格納される表示情報記憶部２０３を備えることから、多様な人物情報と適合するデジタル情報を複数、予め格納しておくことができる。
【００６６】
なお、本発明は上記実施の形態に限定されることはなく、発明の趣旨を逸脱しない範囲で種々変更可能である。上記実施の形態では、周辺情報取得手段１０１が画像センサで構成される場合を説明したが、例えば、音声センサ、赤外線センサ、温度センサ、加速度センサ等、各種のセンサを用いることができる。
【００６７】
上記実施の形態では、身体的属性情報が、顔情報、視線情報、性別情報、年齢別情報及び人種情報を有する場合を説明したが、例えば、周辺情報取得手段１０１として温度センサを用いた場合には、人物を温度で検知する温度情報を有してもよい。
【００６８】
上記実施の形態では、社会的属性情報が職業別情報を有する場合を説明したが、例えば、出身地別情報、居住地別情報、既婚・独身別情報等、社会的属性に関する各種の情報を有してもよい。
【００６９】
上記実施の形態では、視線情報を用いて周辺情報にユーザに関する情報が含まれているか否かを判別するに際して、周辺情報をユークリッド座標系で表示することを説明したが、ユークリッド座標系に限定されることなく、極座標等、各種の座標を用いることができる。
【符号の説明】
【００７０】
１    デジタル情報表示システム
１０    制御部
１０１    周辺情報取得手段
１０２    人物情報検出手段
１０３    デジタル情報表示手段
２０１    周辺情報記憶部
２０２    人物情報記憶部
２０３    表示情報記憶部
【図１】
2019152734.tif 000003
【図２】
2019152734.tif 000004
【図３】
2019152734.tif 000005
【図４】
2019152734.tif 000006
【図５】
2019152734.tif 000007
【図６】
2019152734.tif 000008
【図７】
2019152734.tif 000009
【図８】
2019152734.tif 000010